(57)【要約】【課題】デジタルフォトフレームのデザイン性を損なうことなく、メモリーカードが装着されているか否かを容易に確認することができるデジタルフォトフレームを提供する。【解決手段】画像を表示する表示部２と、メモリーカードを装着するインタフェース５,６と、前記インタフェースに前記メモリーカードが装着されているか否かに応じて、前記画像を前記表示部に表示する際の表示態様を変更する表示制御部１４とを備える。【選択図】図２
2010026341.tif 000002
【特許請求の範囲】
【請求項１】
画像を表示する表示部と、
メモリーカードを装着するインタフェースと、
前記インタフェースに前記メモリーカードが装着されているか否かに応じて、前記画像を前記表示部に表示する際の表示態様を変更する表示制御部と
を備えることを特徴とするデジタルフォトフレーム。
【請求項２】
前記表示制御部は、前記表示部の背景画像を変更することを特徴とする請求項１記載のデジタルフォトフレーム。
【請求項３】
前記表示制御部は、前記画像の表示サイズを変更することを特徴とする請求項１記載のデジタルフォトフレーム。
【請求項４】
前記表示制御部は、前記画像の表示を平面的又は立体的な表示に変更することを特徴とする請求項１記載のデジタルフォトフレーム。
【請求項５】
前記表示制御部は、前記表示部に表示する前記画像の数を変更することを特徴とする請求項１記載のデジタルフォトフレーム。
【請求項６】
前記インタフェースに前記メモリーカードが装着されている時間を計測する計時部を備え、
前記表示制御部は、前記計時部により計測された時間に応じた前記背景画像を表示することを特徴とする請求項２記載のデジタルフォトフレーム。
【請求項７】
前記インタフェースは前記メモリーカードの種類毎に複数備えられており、
前記表示制御部は、前記インタフェースに装着された前記メモリーカードの数又は種類に応じた前記背景画像を表示することを特徴とする請求項２記載のデジタルフォトフレーム。
【請求項８】
前記表示部は、前記画像を順次切り替えて表示するスライドショー形式で前記画像を表示し、
前記表示制御部は、前記スライドショー形式での前記画像の表示効果を変更することを特徴とする請求項１〜７の何れか一項に記載のデジタルフォトフレーム。
【請求項９】
前記表示効果は、前記スライドショー形式で前記画像を表示する際の前記画像の切替間隔であることを特徴とする請求項８記載のデジタルフォトフレーム。
【請求項１０】
前記表示効果は、順次切り替えて前記表示部に表示する前記画像の数であることを特徴とする請求項８記載のデジタルフォトフレーム。
【発明の詳細な説明】
【技術分野】
【０００１】
本発明は、デジタルフォトフレームに関するものである。
【背景技術】
【０００２】
観賞用画像を電気的に表示する表示部を備えたデジタルフォトフレームが知られている(例えば、特許文献１参照)。
【特許文献１】特開２００１−６７００４号公報
【発明の開示】
【発明が解決しようとする課題】
【０００３】
ところで、デジタルフォトフレームは、メモリーカードを装着するためのメモリーカードスロットを、デジタルフォトフレームのデザイン性を考慮し、デジタルフォトフレームの表示部が設けられている前面には設けず、デジタルフォトフレームの側面や背面に設けているものが多い。
【０００４】
しかしながら、このようなデジタルフォトフレームにおいては、メモリーカードスロットを目視しなければメモリーカードが装着されているか否か分からないので、ユーザはメモリーカードの装着状態を容易に確認することができず、メモリーカードを抜き忘れてしまう場合がある。
【０００５】
本発明の目的は、デジタルフォトフレームのデザイン性を損なうことなく、メモリーカードが装着されているか否かを容易に確認することができるデジタルフォトフレームを提供することである。
【課題を解決するための手段】
【０００６】
本発明のデジタルフォトフレームは、画像を表示する表示部と、メモリーカードを装着するインタフェースと、前記インタフェースに前記メモリーカードが装着されているか否かに応じて、前記画像を前記表示部に表示する際の表示態様を変更する表示制御部とを備える。
【発明の効果】
【０００７】
本発明のデジタルフォトフレームによれば、表示部に表示されている画像の表示態様を見るだけで容易にメモリーカードが装着されているか否かを確認することができる。
【発明を実施するための最良の形態】
【０００８】
以下、図面を参照して、本発明の第１の実施形態に係るデジタルフォトフレーム（以下、ＤＰＦという。）について説明する。なお、一般に、ＤＰＦとしては机等の上に立て掛けて設置するものや、壁に掛けて設置するもの等が存在するが、本実施形態では、机等に立て掛けて設置するもの(電子写真立て)を例にして説明する。
【０００９】
図１は、本実施形態に係るＤＰＦの外観を示す斜視図である。ＤＰＦ１は、その前面１Ａに、静止画、動画、時刻の情報等の画像を電気的に表示するディスプレイ２が設けられ、ＤＰＦ１の上面１Ｂには、ＤＰＦ１の電源のオン／オフを切り換える電源スイッチ３と、ＤＰＦ１の各種機能を設定する際に用いる操作キー４が設けられている。また、ＤＰＦ１の側面１Ｃには、画像や音楽等のデータが記憶されたＳＤカードとＣＦカードの各々を装着するＳＤカードスロット５及びＣＦカードスロット６、ＵＳＢ機器を接続するＵＳＢポート７が設けられている。
【００１０】
図２は、本実施形態に係るＤＰＦ１のシステム構成を示すブロック図である。ＤＰＦ１は、ディスプレイ２、電源スイッチ３、操作キー４、ＳＤカードスロット５、ＣＦカードスロット６、ＵＳＢポート７、スピーカ８、リモコン信号検出部９、ＲＯＭ／ＲＡＭ１０、表示制御情報記憶部１１、計時部１２、内部メモリ１３、及びＣＰＵ１４を含んで構成されている。尚、ディスプレイ２、電源スイッチ３、操作キー４、ＳＤカードスロット５、ＣＦカードスロット６、ＵＳＢポート７については、上述した図１の説明と同様であり説明を省略する。
【００１１】
スピーカ８は、ＤＰＦ１の背面又は図示しない側面に設けられ、音楽を含む音声データを出力する。リモコン信号検出部９は、ＤＰＦ１を操作するための図示しないリモコンから赤外線のリモコン信号を受信し、ユーザからの指示を受付ける。ＲＯＭ／ＲＡＭ１０は、ＣＰＵ１４が実行するプログラムをＲＯＭに記憶し、ＣＰＵ１４が各プログラムの実行時に用いる一時的なデータをＲＡＭに記憶する。
【００１２】
表示制御情報記憶部１１は、メモリーカードがＳＤカードスロット５又はＣＦカードスロット６に装着されているか否かに応じて、背景パターン及び背景色で構成されるディスプレイ２における背景画像を変更するための背景画像制御情報を記憶する。図３は、表示制御情報記憶部１１に記憶されている背景画像制御情報のデータ例を示している。同図に示す様に、背景画像制御情報１１０は、メモリーカードの装着状態を示すモード、メモリーカードが装着されている時間を示すカード装着時間、背景パターン及び背景色を対応づけて記憶している。尚、本実施形態では、メモリーカードがＳＤカードスロット５又はＣＦカードスロット６に装着されている状態をカード装着モード、いずれにも装着されていない状態を通常モードとする。また、本実施形態では、５分おきにカード装着時間に応じた背景パターン及び背景色に変更する。
【００１３】
図２に戻り、計時部１２は、メモリーカードが装着されている間の時間を計測する。内部メモリ１３は、写真の画像やメニュー画像等の画像データ、音楽を含む音声データ等を記憶している。ＣＰＵ１４は、ＲＯＭに記憶されたプログラムを実行することによりＤＰＦ１を構成する各部を制御する。特に、本実施形態では、ＣＰＵ１４は、メモリーカードの装着状態に応じて通常モード及びカード装着モードのいずれかの動作モードに移行し、その動作モードに応じた表示制御を行う。
【００１４】
以下、本実施形態に係るＤＰＦ１の動作について説明する。図４は、本実施形態における画像データ再生時における表示制御処理を示すフローチャートである。尚、図４のフローチャートでは、ＤＰＦ１は電源がオンに設定されているものとし、内部メモリ１３に記憶されている画像データの再生を行い、１枚の画像を表示する場合について説明する。
【００１５】
ＣＰＵ１４は、リモコン信号検出部９を介して、図示しないリモコンから画像データの再生指示を示すリモコン信号を受付けた場合(ステップＳ１１:Ｙ)、内部メモリ１３から画像データを読み出し(ステップＳ１２)、ＳＤカードスロット５又はＣＦカードスロット６にメモリーカードが装着されているか否かを検出する(ステップＳ１３)。
【００１６】
ＣＰＵ１４は、ステップＳ１４において、ＳＤカードスロット５又はＣＦカードスロット６にメモリーカードが装着されていることを検出した場合(ステップＳ１３:Ｙ)、カード装着モードに移行し、計時部１２によりメモリーカードの装着時間の計測を開始する(ステップＳ１４)。
【００１７】
ＣＰＵ１４は、表示制御情報記憶部１１から図３に示す背景画像制御情報１１０を読み出し、カード装着モードに対応する背景パターン及び背景色の中から、計時部１２により計測されたメモリーカードの装着時間に応じた背景パターン及び背景色を読み出す (ステップＳ１５)。
【００１８】
そして、ＣＰＵ１４は、ステップＳ１２において読み出した画像データと、ステップＳ１５において読み出した背景パターン及び背景色に基づく背景画像とをディスプレイ２に表示する(ステップＳ１６)。
【００１９】
ＣＰＵ１４は、ＳＤカードスロット５又はＣＦカードスロット６からメモリーカードが取り出されたことを検出しなかった場合において (ステップＳ１７:Ｎ)、計時部１２により計測されたカード装着時間が、ステップＳ１６の背景画像を表示した時から更に５分経過していれば(ステップＳ１８:Ｙ)、ステップＳ１５以下の処理を繰り返し、計時部１２により計測されたメモリーカードの装着時間に応じた背景パターン及び背景色に基づく背景画像の表示を行う。また、ＣＰＵ１４は、計時部１２により計測されたカード装着時間が、ステップＳ１６の背景画像を表示した時から更に５分経過していなければ(ステップＳ１８:Ｎ)、ステップＳ１７、ステップＳ１８の処理を繰り返し行う。
【００２０】
また、ＣＰＵ１４は、ステップＳ１７において、ＳＤカードスロット５又はＣＦカードスロット６からメモリーカードが取り出されたことを検出した場合には (ステップＳ１７:Ｙ)、計時部１２によるメモリーカードの装着時間の計測を終了する(ステップＳ１９)。そして、ＣＰＵ１４は、通常モードに移行し、表示制御情報記憶部１１から図３に示す背景画像制御情報１１０を読み出して、通常モードに対応する背景パターン及び背景色を読み出す(ステップＳ２０)。ＣＰＵ１４は、ステップＳ１２において読み出した画像データと、ステップＳ２０において読み出した通常モードに対応する背景パターン及び背景色に基づく背景画像をディスプレイ２に表示する(ステップＳ２１)。
【００２１】
また、ＣＰＵ１４は、ステップＳ１３において、ＳＤカードスロット５又はＣＦカードスロット６にメモリーカードが装着されていないことを検出した場合(ステップＳ１３:Ｎ)には、上述したステップＳ２０以下の処理を行い、また、ステップＳ１１において、画像データの再生指示を示すリモコン信号を受付けなかった場合には(ステップＳ１１:Ｎ)、再生指示があるまで待機する。
【００２２】
図５は、通常モードの場合における画像と背景画像の表示例を示している。図５に示す背景画像２１は、図３の背景画像制御情報１１０における通常モードの背景パターン“パターン０”と背景色“背景色０”で構成されている。図５に示す様に、通常モードにおいて写真等の画像を表示する際には、模様等が無い背景パターンと白単色の背景色の背景画像２１に画像２０を重ねて表示する。また、図６は、カード装着モードの場合における画像と背景画像の表示例を示している。図６(Ａ)は、メモリーカードの装着を検出した際の表示例であり、図６(Ａ)に示すように、図３の背景画像制御情報１１０におけるカード装着時間が０〜５分までの“パターン１”“背景色１”で構成された背景画像２１Ａと画像２０の表示する。また、背景画像２１Ａを表示後、５分を経過した時には、図６(Ｂ)に示す様に、カード装着時間５〜１０分に対応する“パターン２”“背景色２”で構成された背景画像２１Ｂと画像２０を表示する。このように、カード装着時間が５分経過する毎に、カード装着時間に対応する背景パターンと背景色に基づく背景画像を切り替えて表示する。
【００２３】
上述した第１の実施形態では、メモリーカードが装着されているか否かに応じて、ディスプレイ２における背景画像の背景パターン及び背景色を変更することができる。そのため、ＤＰＦ自体のデザイン性を損なうことなく、メモリーカードが装着されているか否かを容易に確認できる。また、メモリーカードの装着時間に応じて、背景パターン及び背景色を順次切り替えて背景画像を表示することができるので、メモリーカードの装着時間に応じて変化する背景画像によって、ユーザが写真等の画像を鑑賞している間もメモリーカードが装着されていることを意識させることができる。
【００２４】
次に、本発明の第２の実施形態に係るＤＰＦについて説明する。本実施形態では、スライドショー形式で画像データの再生を行う場合の表示制御について説明する。尚、本実施形態に係るＤＰＦは、上述した第１の実施形態と同じＤＰＦ１を用いるため、第１の実施形態と同じ構成については第１の実施形態と同じ符号を用いて説明し、第１の実施形態と共通する部分については説明を省略する。
【００２５】
以下、本実施形態におけるＤＰＦ１の動作について説明する。図７は、本実施形態におけるスライドショー形式での画像再生処理を示すフローチャートである。尚、本実施形態における表示制御情報記憶部１１は、通常モード及びカード装着モードの各々に対応する画像の切替間隔を示す画像切替間隔情報を記憶し、スライドショー形式で再生する画像データは、内部メモリ１３に記憶されているものとする。
【００２６】
ＣＰＵ１４は、リモコン信号検出部９を介して、図示しないリモコンからスライドショー形式での画像再生指示を示すリモコン信号を受付けた場合(ステップＳ３１:Ｙ)、ＳＤカードスロット５又はＣＦカードスロット６にメモリーカードが装着されているか否かを検出する(ステップＳ３２)。
【００２７】
ＣＰＵ１４は、ステップＳ３２において、ＳＤカードスロット５又はＣＦカードスロット６にメモリーカードが装着されていることを検出した場合(ステップＳ３２:Ｙ)、カード装着モードに移行し、表示制御情報記憶部１１に記憶されている画像切替間隔情報からカード装着モードに対応する画像切替間隔を読み出す(ステップＳ３３)。そして、ＣＰＵ１４は、スライドショー形式で再生する画像データを内部メモリ１３から順次読み出し、ステップＳ３３において読み出したカード装着モード用の画像切替間隔で、読み出した画像データを順次切り替えてディスプレイ２に表示する (ステップＳ３４)。
【００２８】
また、ＣＰＵ１４は、ステップＳ３２において、ＳＤカードスロット５又はＣＦカードスロット６にメモリーカードが装着されていないことを検出した場合(ステップＳ３２:Ｎ)、通常モードに移行し、表示制御情報記憶部１１に記憶されている画像切替間隔情報から通常モードに対応する画像切替間隔を読み出す(ステップＳ３５)。そして、ＣＰＵ１４は、スライドショー形式で再生する画像データを内部メモリ１３から順次読み出し、ステップＳ３５において読み出した通常モードに対応する画像切替間隔で、読み出した画像データを順次切り替えてディスプレイ２に表示する(ステップＳ３６)。
【００２９】
図８は、上述した本実施形態におけるスライドショー形式で画像データを再生する際の画像の切替例を示している。同図において、横軸をスライドショー形式での画像再生開始からの経過時間ｔとし、通常モードの場合の画像の切替例を(Ａ)に示し、カード装着モードの場合の画像の切替例を(Ｂ)に示している。この場合の画像切替間隔は、通常モードの場合は“１分”、カード装着モードの場合は“２分”に設定されており、通常モードの場合には、(Ａ)に示す様に、画像２０Ａ〜２０Ｄを１分間隔で順次切替えて表示し、カード装着モードの場合には、(Ｂ)に示す様に、画像２０Ａ〜２０Ｄを２分間隔で順次切替えてディスプレイ２に表示する。
【００３０】
上述した第２の実施形態では、メモリーカードが装着されている場合には、スライドショー形式で画像を再生する際の画像切替間隔を通常より長くして画像の再生を行うことができる。従って、ユーザは、スライドショーの画像を鑑賞する際に画像が切り替わる間隔が通常より遅いか否かを容易に判断することができるので、メモリーカードが装着されていることを即座に認識することができる。
【００３１】
尚、上述した第１の実施形態では、写真等の画像データを再生する際に、メモリーカードの装着状況に応じて背景画像を変更して表示するものとして説明したが、図９に示す様に、メニュー画像３０を表示する場合にもメモリーカードの装着状況に応じて背景画像を変更するようにしてもよい。メモリーカードが装着されていない場合には、図９(Ａ)に示す様な背景画像２２Ａを表示し、メモリーカードが装着されている場合には、図９(Ｂ)に示す様に背景画像２２Ａとは異なる背景画像２２Ｂをディスプレイ２に表示する。
【００３２】
また、上述した第１の実施形態では、１枚の画像を表示する場合について説明したが、ディスプレイ２における画像表示領域を分割して複数枚の画像を表示する場合、メモリーカードが装着されていない場合には、図１０(Ａ)の様に、複数枚の画像２００をディスプレイ２に表示し、メモリーカードが装着されている場合には、図１０(Ｂ)の様に、一枚ずつ画像２０１を表示する等、メモリーカードが装着されている場合には表示する画像の枚数を変更して表示してもよい。
【００３３】
また、上述した第１の実施形態では、画像データの再生時において、メモリーカードの装着状況に応じて背景画像を変更して表示するものとして説明したが、図１１(Ａ)に示す様に、メモリーカードが装着されていない場合には、既定の表示サイズで画像２０を表示し、メモリーカードが装着されている場合には、図１１(Ｂ)に示す様に、図１１(Ａ)の表示サイズより大きい表示サイズで画像２０２を表示する等、再生する画像データの表示サイズをメモリーカードの装着状況に応じて変更してもよい。
【００３４】
また、図１２(Ａ)に示す様に、メモリーカードが装着されていない場合には、平面的に画像２０を表示し、メモリーカードが装着されている場合には、図１２(Ｂ)に示す様に、画像２０に影２０３を付ける等の方法により立体的に表示するようにしてもよい。
【００３５】
また、上述した第１の実施形態では、メモリーカードがＳＤカードスロット５又はＣＦカードスロット６に装着されているか否かによって背景画像を変更して表示するものとして説明したが、装着されているメモリーカードの数に応じて、背景画像を変更して表示するようにしてもよい。例えば、図１３(Ａ)に示す様に、ＳＤカード４０Ａのみが装着されている場合には、画像２０と共に背景画像２３Ａを表示し、図１３(Ｂ)に示す様に、ＳＤカード４０ＡとＣＦカード４０Ｂの２枚のメモリーカードが装着されている場合には、背景画像２３Ａと異なる背景画像２３Ｂを画像２０と共に表示する。また、ＤＰＦ１に、ＳＤカードスロット５及びＣＦカードスロット６以外にＭＳカードスロットが設けられている場合において、図１３(Ｃ)に示す様に、ＳＤカード４０Ａ、ＣＦカード４０Ｂ、及びＭＳカード４０Ｃの３枚のメモリーカードが装着されている場合には、背景画像２３Ａ及び背景画像２３Ｂと異なる背景画像２３Ｃを表示するようにしてもよい。また、装着されているメモリーカードの種類に応じて背景画像を変更するようにしてもよい。
【００３６】
また、上述した第１の実施形態では、メモリーカードが装着されている場合に、メモリーカードの装着時間に応じた背景パターン及び背景色に基づく背景画像を表示するものとして説明したが、メモリーカードの装着時間に依らず、メモリーカードが装着されていない場合の背景画像とは異なる一定の背景画像を表示するようにしてもよい。また、上述した第１の実施形態で例示した背景画像以外に、例えば、メモリーカードが装着されていない場合には、図１４(Ａ)に示す様に、背景画像２４Ａを画像２０と共に表示し、ＳＤカードスロット５にＳＤカード４０Ａが装着された際に、図１４(Ｂ)に示す様に、ＳＤカードスロット５近傍のディスプレイ２の表示位置から放射されている状態を表す背景画像２４Ｂを表示するようにしてもよい。
【００３７】
また、上述した第１の実施形態では、内部メモリ１３に記憶されている画像データを再生する場合について説明したが、メモリーカードが装着されている場合に、装着されているメモリーカードに記憶されている画像データを再生するようにしてもよい。この場合、例えば、ＳＤカードスロット５にＳＤカードが装着され、ＳＤカードに記憶されている１枚の画像を再生する場合、ＳＤカードスロット５の近傍のディスプレイ２の表示位置から画像が飛び出るような動きをつけた画像表示効果で画像を表示するようにしてもよい。即ち、図１５(Ａ)に示す様に、ＳＤカード４０Ａから読み出した画像データを、最初に、ＳＤカードスロット５の近傍のディスプレイ２の表示位置から画像２０５Ａのように表示する。続いて、図１５(Ｂ)に示す様に、画像２０５Ａより表示サイズが大きい画像２０５Ｂを図１５(Ａ)の表示位置より中央寄りの表示位置に表示する。そして、最後に、図１５(Ｃ)に示す様に、画像２０５Ｂより表示サイズが大きい画像２０５Ｃをディスプレイ２の表示領域の中央に表示する。
【００３８】
また、上述した第１の実施形態では、写真等の画像データを再生する際に、メモリーカードの装着状況に応じて背景画像を変更して表示するものとして説明したが、ＤＰＦ１の電源をオンに設定後、画像の再生指示に関わらず、メモリーカードの装着状況に応じた背景パターン及び背景色に基づく背景画像を常に表示するようにしてもよい。
【００３９】
また、上述した第２の実施形態では、スライドショー形式で画像データを再生する場合に、メモリーカードの装着状況に応じて画像の切替間隔を変更して再生するものとして説明したが、スライドショーによる画像の表示パターンをメモリーカードの装着状況に応じて変更するようにしてもよい。例えば、複数の画像データをスライドショー形式で表示する際に、メモリーカードが装着されていない場合には、図１６(Ａ)に示す様に、複数の画像が重なり合った表示パターン２０６Ａのように表示し、ＳＤカードスロット５にＳＤカード４０Ａが装着された場合には、図１６(Ｂ)に示す様に、１枚ずつ画像を再生するスライドショーの表示パターンに変更する等、再生する画像の数を変更してスライドショーの再生を行うようにする。
【００４０】
また、上述した第２の実施形態では、メモリーカードの装着状況に応じて、スライドショー形式で画像を再生する際の画像の切替間隔を変更して再生するものとして説明したが、画像の切替間隔の変更と第１の実施形態で説明した背景画像の変更を組合わせてもよい。また、上述したスライドショーによる画像の表示パターンの変更と第１の実施形態で説明した背景画像の変更を組合わせてもよい。
【００４１】
また、第１及び第２の実施形態では、メモリーカードの装着状況に応じて、背景画像やスライドショーの画像切替間隔を変更するものとして説明したが、メモリーカードの着脱に応じて、ＤＰＦ１の電源のオンオフを切り替えるようにしてもよい。例えば、ＤＰＦ１の電源がオフの状態でＳＤカードスロット５にＳＤカードが装着された場合には、図１７(Ａ)に示す様に、ＤＰＦ１の電源をオンに設定してメニュー画像３０を表示し、図１７(Ａ)の状態からＳＤカード４０Ａが取り出された場合には、図１７(Ｂ)に示す様に、メニュー画像３０の表示を終了して、ＤＰＦ１の電源をオフに切り替える。
【００４２】
また、第１及び第２の実施形態では、メモリーカードの装着状況に応じて、背景画像やスライドショーの画像切替間隔を変更するものとして説明したが、例えば、図１８(Ａ)に示す様に、画像２０を表示中にＳＤカード４０ＡをＳＤカードスロット５に装着した場合、メモリーカードの装着時間が一定時間を経過した時に、図１８(Ｂ)に示す様に、スピーカ８により警告音を出力するようにしてもよい。また、例えば、図１９(Ａ)に示す様に、ＳＤカード４０ＡがＳＤカードスロット５に装着されている場合において、ＤＰＦ１の電源がオフに切り替えられたとき、又は、スライドショー形式で画像２０を表示している場合に、そのスライドショーの再生を終了したときに、図１９(Ｂ)に示す様にスピーカ８により警告音を出力するようにしてもよい。
【００４３】
また、上述した第１及び第２の実施形態では、カード装着モードに移行した場合には、背景画像又はスライドショーの画像切替間隔を通常モードとは異なるものに変更して表示するものとして説明したが、カード装着モードに移行中に、所定のリモコン操作又は操作キー４を用いた所定操作により通常モードに切替える指示を受付け、動作モードの切替を行うようにしてもよいし、カード装着モードによる表示制御を行うか否かの選択を予めユーザが行えるようにしてもよい。
【図面の簡単な説明】
【００４４】
【図１】第１の実施形態に係るＤＰＦの外観を示す斜視図である。
【図２】第１の実施形態に係るＤＰＦのシステム構成を示すブロック図である。
【図３】第１の実施形態における背景画像制御情報のデータ例を示す図である。
【図４】第１の実施形態に係るＤＰＦの動作を示すフローチャートである。
【図５】第１の実施形態における通常モード時の画像表示例を示す図である。
【図６】(Ａ)は第１の実施形態におけるカード装着モード時においてカード装着時間の計測を開始した際の画像表示例を示す図である。(Ｂ)は第１の実施形態におけるカード装着モード時においてカード装着時間が５分を経過したときの画像表示例を示す図である。
【図７】第２の実施形態に係るＤＰＦの動作を示すフローチャートである。
【図８】第２の実施形態におけるスライドショーの画像切替間隔の例を示す図である。
【図９】(Ａ)はメモリーカードが装着されていない場合のメニュー画像と背景画像の表示例を示す図であり、(Ｂ)はメモリーカードが装着されている場合のメニュー画像と背景画像の表示例を示す図である。
【図１０】(Ａ)はメモリーカードが装着されていない場合の画像の表示例を示す図であり、(Ｂ)はメモリーカードが装着されている場合の画像の表示例を示す図である。
【図１１】(Ａ)はメモリーカードが装着されていない場合の画像サイズを示す図であり、(Ｂ)はメモリーカードが装着されている場合の画像サイズを示す図である。
【図１２】(Ａ)はメモリーカードが装着されていない場合に画像を平面的に表示する例を示す図であり、(Ｂ)はメモリーカードが装着されている場合に画像を立体的に表示する例を示す図である。
【図１３】(Ａ)は１枚のメモリーカードが装着されている場合の背景画像の表示例を示す図であり、(Ｂ)は２枚のメモリーカードが装着されている場合の背景画像の表示例を示す図であり、(Ｃ)は３枚のメモリーカードが装着されている場合の背景画像の表示例を示す図である。
【図１４】(Ａ)はメモリーカードが装着されていない場合の背景画像の表示例を示す図であり、(Ｂ)はメモリーカードが装着された場合の背景画像の表示例を示す図である。
【図１５】(Ａ)はメモリーカード内の１画像を表示する際の画像表示効果における最初の動きを説明する図であり、(Ｂ)はメモリーカード内の１画像を表示する際の画像表示効果における２回目の動きを説明する図であり、(Ｃ)はメモリーカード内の１画像を表示する際の３回目の動きを説明する図である。
【図１６】(Ａ)はメモリーカードが装着されていない場合のスライドショーの表示パターン例を示す図であり、(Ｂ)はメモリーカードが装着されている場合のスライドショーの表示パターン例を示す図である。
【図１７】(Ａ)はメモリーカードの装着時におけるＤＰＦ１の状態を示す図であり、(Ｂ)はメモリーカードが抜かれた時のＤＰＦ１の状態を示す図である。
【図１８】(Ａ)はメモリーカードの装着時におけるＤＰＦ１の状態を説明する図であり、(Ｂ)はメモリーカードが装着されてから一定時間経過後のＤＰＦ１の状態を説明する図である。
【図１９】(Ａ)はメモリーカードの装着時におけるＤＰＦ１の状態を説明する図であり、(Ｂ)はＤＰＦ１の電源オフ又は画像再生終了時におけるＤＰＦ１の状態を説明する図である。
【符号の説明】
【００４５】
１…デジタルフォトフレーム（ＤＰＦ）、２…ディスプレイ、３・・・電源スイッチ、４…操作キー、５…ＳＤカードスロット、６…ＣＦカードスロット、７…ＵＳＢポート、８…スピーカ、９…リモコン信号検出部、１０…ＲＯＭ／ＲＡＭ、１２・・・計時部、１３…内部メモリ、１４…ＣＰＵ
【図１】
2010026341.tif 000003
【図２】
2010026341.tif 000004
【図３】
2010026341.tif 000005
【図４】
2010026341.tif 000006
【図５】
2010026341.tif 000007
【図６】
2010026341.tif 000008
【図７】
2010026341.tif 000009
【図８】
2010026341.tif 000010
【図９】
2010026341.tif 000011
【図１０】
2010026341.tif 000012
【図１１】
2010026341.tif 000013
【図１２】
2010026341.tif 000014
【図１３】
2010026341.tif 000015
【図１４】
2010026341.tif 000016
【図１５】
2010026341.tif 000017
【図１６】
2010026341.tif 000018
【図１７】
2010026341.tif 000019
【図１８】
2010026341.tif 000020
【図１９】
2010026341.tif 000021